(57)【要約】      （修正有）【課題】長手方向の傾斜に対しても水平な場所に設置する場合とほぼ同様の部材をもって対応することができ、製作にかかる手間を低減できる簡易屋根を提供する。【解決手段】相対向する２個の並行な桁梁２を、地表に立設された支柱１に支持して長手方向に配設し、この相対向する２個の桁梁２間に小梁３を架設すると共に桁梁２間に屋根材４を架け渡し、前記桁梁２を支柱１の上端に取付けられた受け金具５を介して支柱１に支持し、前記受け金具５は桁梁２に沿って該桁梁２を受ける上面板部５１の左右側端より取付板部５２をコ字状に垂下して、前記取付板部５２が支柱１の側面にそれぞれ取付けられるようにしているので、水平な場所に設置する場合と同一の受け金具５を用いて傾斜のある場所に簡易屋根Ｐを設置することができる。【選択図】        図３
2008038467.tif 000002
【特許請求の範囲】
【請求項１】
相対向する２個の並行な桁梁が、地表に立設された支柱に支持されて長手方向に配設され、この相対向する２個の桁梁間に小梁が架設されると共に桁梁間に屋根材が架け渡され、前記桁梁は支柱の上端に取付けられた受け金具を介して支柱に支持され、前記受け金具は桁梁に沿って該桁梁を受ける上面板部の左右側端より取付板部がコ字状に垂下され、前記取付板部が支柱の側面にそれぞれ取付けられるようになされたことを特徴とする簡易屋根。
【請求項２】
前記桁梁に沿って該桁梁の外側に上部が開口した樋が設けられ、桁梁の外側面上部から突設され下方に折曲された係止部の先端が内方に折曲され、且つ桁梁の外側面下部から突設され上方に折曲された受け部が形成され、一方、前記樋の桁梁との取付部上部には、前記桁梁の係止部先端に係合するよう折曲された上部引掛け部が形成され、且つ前記樋の桁梁との取付部下部には、前記桁梁の受け部に係合するように下部引掛け部が形成され、桁梁に樋を取付ける際に、前記桁梁の係止部先端に前記樋の上部引掛け部を係合させ、次いで前記桁梁の受け部に前記樋の下部引掛け部を係合させるようにしてなることを特徴とする請求項１に記載の簡易屋根。
【発明の詳細な説明】
【技術分野】
【０００１】
本発明は、主に人が歩く通路上に雨・日差し避けとして設置される簡易屋根に関するものである。
【背景技術】
【０００２】
従来、この種の簡易屋根としては種々の発明がなされており、例えば特許文献１には、以下のような屋根が開示されている。
すなわち、この簡易屋根は、２個の屋根体の接合部分における支柱がＹ字状を呈しており、下方部を形成する幹支柱と上方に向けて二又状に分岐した上方部を形成する２個の枝支柱によって形成されており、枝支柱の上端は隣接する屋根体の双方を支持すると共に、桁材はその長手方向にわたってガイド溝が形成されており、該ガイド溝には枝支柱の上端に取付けられるアルミダイカスト等の支持ブラケットの上端面にボルト等により一体的に固着した摺動ブラケットが摺動自在に嵌合している。また、幹支柱と枝支柱との結合部分には、Ｙ字状補強継手金具が内挿されており、この補強継手金具の枝部は、枝支柱の下端部に挿入してビス等により枝支柱に固定される。一方、補強継手金具の幹部は、幹支柱の上端部に挿入してボルト等により幹支柱に固定されており、補強継手金具の枝部と幹部は溶接により一体化するか、または一本の鋼材を曲げ加工して形成されたものである。
【０００３】
【特許文献１】実開平６−７４７５７号公報
【発明の開示】
【発明が解決しようとする課題】
【０００４】
しかしながら、上述の如き簡易構築物である簡易屋根については、この簡易屋根を長手方向に延設する場合において、支柱を立設する場所にマンホール等があり、支柱位置をずらして設置する際には、桁材のガイド溝に摺動自在に嵌合されている支持ブラケットをずらして支柱位置を変更することが可能であるが、設置場所が平坦な部分だけではなく傾斜している部分がある時には、その傾斜に合わせて、幹支柱の上方に向けて二又状に分岐した２個の枝支柱各々の長さと、幹支柱と枝支柱との結合部に内挿された補強継手金具の枝部各々の長さとを適切に設計せねばならず、またそれらを溶接するか曲げ加工して作製するため、傾斜の違いにより、都度それらを設計し、溶接または曲げ加工して製作する手間を少なからず要していた。
【０００５】
そこで本発明は上記の如き問題点を解消し、長手方向の傾斜に対しても水平な場所に設置する場合とほぼ同様の部材をもって対応することができ、製作にかかる手間を低減できる簡易屋根を提供せんとするものである。
【課題を解決するための手段】
【０００６】
上記目的を達成するために、本発明は次のような構成としている。
すなわち、本発明に係る簡易屋根は、相対向する２個の並行な桁梁が、地表に立設された支柱に支持されて長手方向に配設され、この相対向する２個の桁梁間に小梁が架設されると共に桁梁間に屋根材が架け渡され、前記桁梁は支柱の上端に取付けられた受け金具を介して支柱に支持され、前記受け金具は桁梁に沿って該桁梁を受ける上面板部の左右側端より取付板部がコ字状に垂下され、前記取付板部が支柱の側面にそれぞれ取付けられるようになされたことを特徴とするものである。
【０００７】
また、本発明において、前記桁梁に沿って該桁梁の外側に上部が開口した樋が設けられ、桁梁の外側面上部から突設され下方に折曲された係止部の先端が内方に折曲され、且つ桁梁の外側面下部から突設され上方に折曲された受け部が形成され、一方、前記樋の桁梁との取付部上部には、前記桁梁の係止部先端に係合するよう折曲された上部引掛け部が形成され、且つ前記樋の桁梁との取付部下部には、前記桁梁の受け部に係合するように下部引掛け部が形成され、桁梁に樋を取付ける際に、前記桁梁の係止部先端に前記樋の上部引掛け部を係合させ、次いで前記桁梁の受け部に前記樋の下部引掛け部を係合させるようにしてなることを特徴とするものである。
【発明の効果】
【０００８】
本発明によれば、相対向する２個の並行な桁梁を、地表に立設された支柱に支持して長手方向に配設し、この相対向する２個の桁梁間に小梁を架設すると共に桁梁間に屋根材を架け渡し、前記桁梁を支柱の上端に取付けられた受け金具を介して支柱に支持し、前記受け金具は桁梁に沿って該桁梁を受ける上面板部の左右側端より取付板部をコ字状に垂下して、前記取付板部が支柱の側面にそれぞれ取付けられるようにしているので、水平な場所に設置する場合と同一の受け金具を用いて傾斜のある場所に簡易屋根を設置することができる。
【０００９】
また、桁梁に沿って該桁梁の外側に上部が開口した樋を設け、桁梁の外側面上部から突設して下方に折曲した係止部の先端を内方に折曲して、且つ桁梁の外側面下部から突設して上方に折曲した受け部を形成して、一方、前記樋の桁梁との取付部上部には、前記桁梁の係止部先端に係合するよう折曲した上部引掛け部を形成して、且つ前記樋の桁梁との取付部下部には、前記桁梁の受け部に係合するように下部引掛け部を形成して、桁梁に樋を取付ける際に、前記桁梁の係止部先端に前記樋の上部引掛け部を係合させ、次いで前記桁梁の受け部に前記樋の下部引掛け部を係合するようにしているため、桁梁に樋を取付ける際、係止部と桁梁の外側面との間に樋の上部引掛け部を挿入した後、樋の下部引掛け部を桁梁の受け部に係合させるだけで、樋を桁梁に仮置き状態となすことができ、作業者は両手を使って樋を桁梁にビス等の固定手段をもって取付けすることができ、高所での取付作業を効率よく、安全に実施することができ好ましい。
【発明を実施するための最良の形態】
【００１０】
本発明に係る実施の形態について、図面に基づき以下に具体的に説明する。
図１は本発明に係る簡易屋根の実施の一形態を示す側面図、図２は本発明に係る簡易屋根を傾斜地に設置した時の側面図、図３は図１に示す簡易屋根の要部の一部を切欠いた斜視図、図４は図１に示す簡易屋根の要部断面図である。
【００１１】
Ｐは主に人が歩く通路上に雨・日差し避けとして設置される簡易屋根であって、１は地表に適宜間隔をおいて立設された支柱、２は前記支柱１に支持されて長手方向に相対向して２個並行に配設された桁梁、３は前記桁梁２間に架設された小梁、４は前記桁梁２間に架け渡された屋根材、５は前記支柱１の上端に前記桁梁を支持するために取付けられた受け金具、６は前記桁梁２に沿って桁梁２の外側に設けられ上部が開口した樋である。
【００１２】
支柱１は鋼管を適宜長さに切断して作製され、その上部には、前記受け金具５を介して桁梁２を支持するためのボルト孔が側壁に貫通して穿設されている。支柱１の材質は前記した鋼管に限るものではなく、アルミ合金押出型材等であってもよいが、強度的に安定でコストの安い鋼管が好適に用いられる。
【００１３】
桁梁２はアルミ合金押出型材製であり、支柱１の上端に取付けられた前記受け金具５を介して支柱１に支持されている。鉄鋼を用いて桁梁を形成してもよいが、アルミ合金に比べ、重量が大きくなり、また断面形状設計時の自由度に劣るため、アルミ合金が好適に用いられる。この実施形態において、桁梁２の断面形状を横長扁平に作製することにより、屋根材４にかかる積雪荷重及び風荷重に対して充分に耐力を有した簡易屋根Ｐを形成することができる。
【００１４】
桁梁２の下面には長手方向に受け金具用レール溝２１が２個形成され、桁梁２に前記受け金具５を固定するためのボルトの頭部を前記受け金具用レール溝２１に挿入して摺動自在となすことにより、支柱１の設置場所の変更にも対応可能になされている。また、桁梁２の内側面２２には長手方向に小梁用レール溝２３が１個形成され、桁梁２に前記小梁３を固定するためのボルトの頭を前記小梁用レール溝２３に挿入して摺動自在となすことにより、小梁３の位置変更にも対応可能となされている。更に、桁梁２の桁梁外側面２４にはその上部から突設され下方に折曲された係止部２５の先端が内方に折曲され、且つ桁梁外側面２４下部から突設され上方に折曲された受け部２６が形成されている。
【００１５】
小梁３は鋼管を鋼管を円弧状に湾曲して作製され、その鋼管の両端縁には、小梁３を桁梁２に取付けるためのボルトを挿通する通孔３１が穿設された矩形の平板プレート３２が溶接されている。前記小梁用レール溝２３に挿入したボルトを前記通孔３１に挿通しナットを螺着して、桁梁２に小梁３が固定される。
【００１６】
屋根材４は前記桁梁２間に架け渡され、その両端部を桁梁２にビス止めして固定されており、矩形のアルミ合金の薄板を長辺方向に湾曲させると共に、短辺の両端と中央に等間隔に突条を長辺方向に４本形成されている。これは平板に比べ強度を向上させることができると共に、屋根材４を順次その端部の突条同士を重ね合わせて施工できるので、簡易屋根Ｐを長手方向に延設し易く、屋根材４の継ぎ目部から雨水の漏洩を防ぐことができる構造となされている。勿論、屋根材４の材質は、アルミ合金に限定されるものではなく、鉄鋼や透光性を有した合成樹脂板を用いて形成してもよい。
【００１７】
受け金具５は桁梁２に沿って該桁梁２を受ける上面板部５１の左右側端より取付板部５２がコ字状に垂下され、取付板部５１が支柱１の側面にそれぞれ取付けられるように、取付部５２に取付孔５３が穿設されており、支柱１の上端縁に載置された受け金具５の取付孔５３及び支柱１の受け金具取付孔１１にボルトを挿通し反対側からナットを螺着して、支柱１に受け金具５が取付けられる。
【００１８】
図１に示すように、水平な場所に簡易屋根Ｐを施工する際には、支柱１の上端を水平に切断して受け金具５を取付ければよいし、図２に示すように、傾斜がある場所に簡易屋根Ｐを施工する際には、支柱１の上端を傾斜に対応した角度で切断して受け金具５を取付ければよく、同一の受け金具５をもって、水平な場所にも傾斜を有する場所にも簡易屋根Ｐを設置することができる。
【００１９】
樋６の桁梁２との取付部上部に、前記桁梁２の係止部２５先端に係合するよう折曲された上部引掛け部６１が形成され、且つ樋６の桁梁２との取付部下部には、前記桁梁２の受け部２６に係合するように下部引掛け部６２が形成されている。そして、桁梁２に樋６を取付ける際に、前記桁梁２の係止部２５先端に前記樋６の上部引掛け部６１を係合させ、次いで前記桁梁２の受け部２６に前記樋６の下部引掛け部６２を係合させるようにすることで、桁梁２に樋６を仮置きすることができるため、簡易屋根Ｐを施工する作業者は両手を使って樋６を桁梁２にビス等の固定手段をもって取付けすることができ、高所での取付作業を効率よく、安全に実施することができる。
【００２０】
また、桁梁外側面２４は上部から下部にかけて上方に向けて傾斜した傾斜部２７が形成されている。そして、該傾斜部２７に当接するように、樋６の樋内側面６３が形成されている。これは、前記樋６を桁梁２に仮置きし、ハンドドリル等の締付工具を用いてビス等の固定手段により取付ける際に、樋６の樋外側面６４が邪魔にならずに樋６の上部に形成した開口から締付工具により取付作業が実施できるように、桁梁外側面２４の上方に向けて傾斜した傾斜部２７と樋内側面６３の上方に向けて傾斜した部分を設けているのである。
【産業上の利用可能性】
【００２１】
本発明に係る簡易屋根は、相対向する２個の並行な桁梁を、地表に立設された支柱に支持して長手方向に配設し、この相対向する２個の桁梁間に小梁を架設すると共に桁梁間に屋根材を架け渡し、前記桁梁を支柱の上端に取付けられた受け金具を介して支柱に支持し、前記受け金具は桁梁に沿って該桁梁を受ける上面板部の左右側端より取付板部をコ字状に垂下して、前記取付板部が支柱の側面にそれぞれ取付けられるようにしているので、水平な場所に設置する場合と同一の受け金具を用いて傾斜のある場所に簡易屋根を設置することができる簡易屋根として好適に用いることができる。
【図面の簡単な説明】
【００２２】
【図１】本発明に係る簡易屋根の実施の一形態を示す側面図である。
【図２】本発明に係る簡易屋根を傾斜地に設置した時の側面図である。
【図３】図１に示す簡易屋根の要部の一部を切欠いた斜視図である。
【図４】図１に示す簡易屋根の要部断面図である。
【符号の説明】
【００２３】
Ｐ      簡易屋根
１      支柱
２      桁梁
２１    受け金具用レール溝
２２    桁梁内側面
２３    小梁用レール溝
２４    桁梁外側面
２５    係止部
２６    受け部
２７    傾斜部
３      小梁
４      屋根材
５      受け金具
５１    上面板部
５２    取付板部
５３    取付孔
６      樋
６１    上部引掛け部
６２    下部引掛け部
６３    樋内側面
６４    樋外側面
【図１】
2008038467.tif 000003
【図２】
2008038467.tif 000004
【図３】
2008038467.tif 000005
【図４】
2008038467.tif 000006